(57)【要約】【課題】  ウェイトとセンサとの距離の調節を容易に行なうことができ、取付が容易であり、１種類のセンサによって使用ウェイトの総重量および運動回数を共に測定することができ、装置全体の小型化、設置面積の減少化、コストの低廉化を図ることができ、しかも既存のトレーニングマシンに対する後付設置も容易であるトレーニングデータ測定装置を提供すること。【解決手段】  複数のウエイト１６が積み重ねられるとともに任意数のウエイト１６を昇降自在にして配設されているトレーニングマシーン１５における使用ウェイトの総重量および昇降回数を計測するトレーニングデータ測定装置１において、前記ウェイト１６と対向して配設されたセンサ取付台３ａに、前記各ウェイト１６の有無をそれぞれ検出する複数の近接センサ２を前記各ウエイト１６とそれぞれ対向させて固定し、前記センサ取付台３ａに各近接センサ２と各ウェイト１６との対向距離を調節する対向距離調節機構３ｂを配設したことを特徴とする。【選択図】      図２
2005198770.tif 000002
【特許請求の範囲】
【請求項１】
複数のウエイトが積み重ねられるとともに任意数のウエイトを昇降自在にして配設されているトレーニングマシーンにおける使用ウェイトの総重量および昇降回数を計測するトレーニングデータ測定装置において、
前記ウェイトと対向して配設されたセンサ取付台に、前記各ウェイトの有無をそれぞれ検出する複数の近接センサを前記各ウエイトとそれぞれ対向させて固定し、前記センサ取付台に各近接センサと各ウェイトとの対向距離を調節する対向距離調節機構を配設したことを特徴とするトレーニングデータ測定装置。
【請求項２】
前記センサ取付台は、センサ取付台を固定する取付台固定板と、前記近接センサを固定するセンサ固定板とを有しており、
前記対向距離調節機構は、前記取付台固定板とセンサ固定板とを両者の距離を弾力的に可変自在に連結して各近接センサと各ウェイトとの対向距離を調節する弾性部材と、この弾性部材の弾力を調整する弾力調整部材とを有している
ことを特徴とする請求項１に記載のトレーニングデータ測定装置。
【請求項３】
前記弾性部材は、前記センサ固定板および前記取付台固定板の間に配設されるとともに、両固定板の一方の端部にそれぞれヒンジ結合されるとともに前記センサ固定板および前記取付台固定板の対向方向に拡がる弾力を有する２つの長辺と、これら長辺に連結された短辺とからなるほぼコ字形状の板ばねであり、
前記弾力調整部材は、前記センサ固定板および前記取付台固定板の相互に連結される他方の端部と前記板ばねの短辺との距離を可変調節するシャフトを有することを特徴とする請求項２に記載のトレーニングデータ測定装置。
【請求項４】
前記弾性部材は、前記センサ固定板および前記取付台固定板の間の上方および下方に少なくとも１つずつ配設された上下方向に延在する板ばねであって、上下方向中央部を前記センサ固定板に連結されるとともに、上下方向長さを可変調節されて前記中央部を前記両固定板の対向方向に弾性変位させる板ばねであり、
前記弾力調整部材は、前記各板ばねの長手方向の両端をそれぞれ支持する２枚の支持板であって、一方は取付台固定板に固定され他方は板ばねの長手方向にスライド可能に配設されている支持板と、前記支持板をスライドさせるスライドシャフトを備えた板ばね調節機構である
ことを特徴とする請求項２に記載のトレーニングデータ測定装置。
【請求項５】
前記センサ取付台は、センサ取付台を固定する取付台固定板と、前記近接センサを固定するセンサ固定板とを有しており、
前記対向距離調節機構は、前記取付台固定板とセンサ固定板との距離を可変自在とするカム機構を有している
ことを特徴とする請求項１に記載のトレーニングデータ測定装置。
【発明の詳細な説明】
【技術分野】
【０００１】
本発明は、トレーニングジム等に設置されているトレーニングマシンに装着され、トレーニングマシンを使用した際の負荷重量および運動回数を測定するトレーニングデータ測定装置に関する。
【背景技術】
【０００２】
従来から、スポーツジム等の運動施設に設置され、ワイヤにより接続され案内ロッドに沿って昇降する複数のウェイトを有し、使用者がウェイトおよびサブウェイトの数量を設定して操作部を操作した際に、設定された数量のウェイトおよびサブウェイトが昇降して操作部に設定したウェイトおよびサブウェイトの数量に応じた負荷が掛かり、使用者の腕や脚等の特定の筋肉の運動を行い、筋力の増強を促進させるトレーニングマシンが使用されてきた。
【０００３】
そして、このような従来のトレーニングマシンにおいては、使用ウェイトの総重量および運動回数の確認あるいは測定を各自で行なって記録用紙に手書きで記入していた。そこで、このような煩わしさを解消するため、自動的に使用ウェイトの総重量および運動回数の測定を行なうトレーニングデータ測定装置が採用されてきた。
【０００４】
このようなトレーニングデータ測定装置としては、使用したウェイトの個数を検出する個数検出センサと、トレーニング回数を検出する回数検出センサとからなる２種類のセンサを有しているものがある。
【０００５】
一方の前記個数検出センサは、トレーニングマシンに積み重ねられた複数個のウェイトのそれぞれの一側面に取り付けられた複数個のウェイト側個数検出部材と、これらに対向して立設されている第１取付台に各ウェイト側個数検出部材にそれぞれ対向して取り付けられた台側個数検出部材とから構成されている。
【０００６】
他方の前記回数検出センサは、最上位のウェイトの前記ウェイト側個数検出部材が取り付けられた側面とは異なる側面に取り付けられたウェイト側回数検出部材と、これに対向して立設された第２取付台に取り付けられた台側回数検出部材とから構成されている。
【０００７】
このように構成された前記個数検出センサにおいては、各ウェイト側個数被検出部材と各取付台側個数検出部材とがそれぞれ対向している状態において個数検出センサがすべてＯＮになり、１個あるいは複数個のウエイトが上昇し、上昇した各ウエイトのウェイト側個数被検出部材と台側個数検出部材とが対向しなくなるとＯＦＦになるよう制御されている。この時、上昇した各ウェイトのうちの最下位のウエイトから順にＯＮ、ＯＦＦが確認される。そして、最初にＯＦＦを確認されたウェイトの位置により、このウェイトとこのウェイトの上方に積載されたウェイトの総重量が認識される。
【０００８】
また、前記回数検出センサにおいては、１個あるいは複数個のウエイトが上昇して、最上部のウエイトに取り付けられているウェイト側回数被検出部材が台側回数検出部材を通過するときに、通常はＯＦＦの状態であった回数検出センサがＯＮになり、ウェイト側回数被検出部材が台側回数検出部材を通過してしまうとＯＦＦになるよう制御されている。その後、上昇されたウェイトが降下した際に、再度回数検出センサがＯＮ、ＯＦＦと変化し、この時点でトレーニング回数を１回と認識される。
【０００９】
そして、これらの２種類のセンサは、一方の個数検出センサにより検出された使用ウェイトの重量と、他方の回数検出センサにより検出されたトレーニング回数とを信号としてターミナルへ出力する。
【００１０】
前記ターミナルは、前記の２種類のセンサより出力された信号を受ける制御部と、トレーニング状況を表示する表示部と、使用者を認識するための認識部とを備えており、このターミナルはホストコンピュータに接続されている。そして、前記ホストコンピュータにより、ターミナルの制御部に入力されたデータに基づいて、運動量等の算出および使用者の管理が行えるようになっている（例えば、特許文献１参照）。
【００１１】
【特許文献１】特開平１０−２３００２１号公報
【発明の開示】
【発明が解決しようとする課題】
【００１２】
しかしながら前述したような従来のトレーニングデータ測定装置においては、ウエイト側にセンサと対向する被検出部材を設置する必要があり、部品点数が多く、しかも複数種類のセンサと複数種類の検出部材とを対向させて検出を行なうため、対向する各センサおよび各検出部材の距離が大きく影響し、取付台を設置する際の位置合わせが困難であった。また、従来のトレーニングデータ測定装置においては、使用ウェイトの総重量および運動回数を測定するために２種類のセンサを必要としており、装置が大がかりとなり、広い設置スペースが必要となり、コストも高くなり、更に既存のトレーニングマシンに後付設置することが困難であるという問題点があった。
【００１３】
本発明はこのような問題点に鑑みてなされたもので、ウェイトとセンサとの距離の調節を容易に行なうことができ、取付が容易であり、１種類のセンサによって使用ウェイトの総重量および運動回数を共に測定することができ、装置全体の小型化、設置面積の減少化、コストの低廉化を図ることができ、しかも既存のトレーニングマシンに対する後付設置も容易であるトレーニングデータ測定装置を提供することを目的とするものである。
【課題を解決するための手段】
【００１４】
前述した目的を達成するため本発明に係るトレーニングデータ測定装置は、複数のウエイトが積み重ねられるとともに任意数のウエイトを昇降自在にして配設されているトレーニングマシーンにおける使用ウェイトの総重量および昇降回数を計測するトレーニングデータ測定装置において、前記ウェイトと対向して配設されたセンサ取付台に、前記各ウェイトの有無をそれぞれ検出する複数の近接センサを前記各ウエイトとそれぞれ対向させて固定し、前記センサ取付台に各近接センサと各ウェイトとの対向距離を調節する対向距離調節機構を配設したことを特徴とする。
【００１５】
このように構成した本発明によれば、対向距離調節機構を用いてセンサ取付台に固定した複数の近接センサと複数のウエイトとの距離を容易に適正間隔に調整することができる。また、１種類の近接センサによって使用ウェイトの総重量および運動回数をともに測定することができ、１種類であるために、従来の２種類のセンサの場合に比較して、取付も容易である。また、各ウェイト側に被検出部材を配設する必要が無く、コストの低廉なものとなる。
【００１６】
また、本発明のトレーニングデータ測定装置は、前記センサ取付台が、センサ取付台を固定する取付台固定板と、前記近接センサを固定するセンサ固定板とを有しており、前記対向距離調節機構が、前記取付台固定板とセンサ固定板とを両者の距離を弾力的に可変自在に連結して各近接センサと各ウェイトとの対向距離を調節する弾性部材と、この弾性部材の弾力を調整する弾力調整部材とを有していることを特徴とする。
【００１７】
このように構成した本発明によれば、対向距離調節機構の弾力調整部材を操作することによってセンサ取付台の取付台固定板とセンサ固定板との距離を調整することにより、センサ固定板に取付られている各近接センサと各ウエイトとの対向距離を簡単に適正値に調整することができる。
【００１８】
また、本発明のトレーニングデータ測定装置においては、前記弾性部材を、前記センサ固定板および前記取付台固定板の間に配設されるとともに、両固定板の一方の端部にそれぞれヒンジ結合されるとともに前記センサ固定板および前記取付台固定板の対向方向に拡がる弾力を有する２つの長辺と、これら長辺に連結された短辺とからなるほぼコ字形状の板ばねによって形成し、前記弾力調整部材を、前記センサ固定板および前記取付台固定板の相互に連結される他方の端部と前記板ばねの短辺との距離を可変調節するシャフトにより形成するとよい。
【００１９】
これにより、本発明においては、シャフトを用いて板ばねの弾力を簡単に調節して、センサ固定板に取付られている各近接センサと各ウエイトとの対向距離を簡単に適正値に調整することができる。
【００２０】
また、本発明のトレーニングデータ測定装置においては、前記弾性部材を、前記センサ固定板および前記取付台固定板の間の上方および下方に少なくとも１つずつ配設された上下方向に延在する板ばねであって、上下方向中央部を前記センサ固定板に連結されるとともに、上下方向長さを可変調節されて前記中央部を前記両固定板の対向方向に弾性変位させる板ばねによって形成し、前記弾力調整部材を、前記各板ばねの長手方向の両端をそれぞれ支持する２枚の支持板であって、一方は取付台固定板に固定され他方は板ばねの長手方向にスライド可能に配設されている支持板と、前記支持板をスライドさせるスライドシャフトを備えた板ばね調節機構によって形成するとよい。
【００２１】
これにより、本発明においては、スライドシャフトを操作して支持板の間隔を調節することによって板ばねの弾性変位量を調節して、センサ固定板に取付されている各近接センサと各ウエイトとの対向距離を簡単に適正値に調整することができる。
【００２２】
また、本発明のトレーニングデータ測定装置は、前記センサ取付台が、センサ取付台を固定する取付台固定板と、前記近接センサを固定するセンサ固定板とを有しており、前記対向距離調節機構が、前記取付台固定板とセンサ固定板との距離を可変自在とするカム機構を有していることを特徴とする。
【００２３】
このように構成した本発明によれば、対向距離調節機構のカム機構を利用してセンサ取付台の取付台固定板とセンサ固定板との距離を調整することにより、センサ固定板に取付されている各近接センサと各ウエイトとの対向距離を簡単に適正値に調整することができる。
【発明の効果】
【００２４】
本発明はこのように構成され作用するものであるために、ウェイトとセンサとの距離の調節を容易に行なうことができ、取付が容易であり、１種類のセンサによって使用ウェイトの総重量および運動回数を共に測定することができ、装置全体の小型化、設置面積の減少化、コストの低廉化を図ることができ、しかも既存のトレーニングマシンに対する後付設置も容易であるトレーニングデータ測定装置を得ることができる。
【００２５】
更に具体的には、本発明のトレーニングデータ測定装置によれば、センサ取付台に、例えば高周波発振型や静電容量型等の近接センサや光センサを配設することにより、各ウェイト側に被検出部材を配設する必要が無くなり、コストを削減することができる。また、センサ取付台に固定された近接センサとトレーニングマシンの各ウェイトとの対向距離の微調整を行なうことができ、近接センサによるトレーニングデータの測定を好適に行なうことができる。
【発明を実施するための最良の形態】
【００２６】
以下、図面を用いて本発明のトレーニングデータ測定装置の実施形態について説明する。
【００２７】
図１〜図４は本発明のトレーニングデータ測定装置の第１実施形態を示し、図１は斜視図、図２は図１の拡大分解図、図３は図２の板ばねの拡大図、図４は本発明のトレーニングデータ測定装置の第１実施形態の使用例を示す説明図である。
【００２８】
本第１実施形態のトレーニングデータ測定装置１は、図１〜図４に示すように、トレーニングマシン１５に配設された複数のウェイト１６の有無を検出するウェイト１６と同数（本第１実施形態においては１３個）の近接センサ２と、各センサ２を各ウェイト１６と対向させて固定するセンサ取付台３ａと、このセンサ取付台３ａに配設されていて各近接センサ２と各ウェイト１６との対向距離を調節する対向距離調節機構３ｂとを有している。
【００２９】
前記各近接センサ２は、例えば、高周波発振型や静電容量型等が使用され、それぞれケーブル２ａにより制御装置（図示せず）に接続されており、検出されたウェイト１６の有無が制御装置に入力されるようになっている。これらの近接センサ２においては、ウエイト１６側に被検出部材を必要としないので、構成が簡単であるとともに、コストも低廉なものとなる。特に、高周波発振型センサにのいては、ウエイト１６の金属の有無を電磁的に検知するものであるために、光を利用しないで測定することができるので、不測の光に反応する光センサに比較して誤動作を起こすことがない。そして、制御装置において、前記各近接センサ２により検出されたウェイトの有無から昇降運動されたウェイト１６の数量を検出して総重量が算出されるとともに、トレーニング回数が計測される。
【００３０】
前記センサ取付台３ａは、前記各近接センサ２が取り付けられる鋼板からなるセンサ固定板４と、トレーニングマシン１５の所定の配設位置に固定される鋼板からなる取付台固定板５とを有している。前記対向距離調節機構３ｂは、取付台固定板５とセンサ固定板４とを両者の距離を弾力的に可変自在に連結して各近接センサ２と各ウェイト１６との対向距離を調節する弾性部材としてのほぼコ字形状の板ばね６と、この弾性部材６の弾力を調整する弾力調整部材としての両端にねじ部７ａ、７ｂが形成されたシャフト７とを有している。
【００３１】
前記センサ固定板４は、ウェイト１６と対向するようにして各近接センサ２をそれぞれねじ９で固定するセンサ固定面４ａと、ウェイト１６との対向方向の後方側にそれぞれ折曲された上面４ｂと側面４ｃ、４ｄとから形成されている。なお、前記各近接センサ２を固定する方法としては、ねじ９による固定に限らず両面テープや接着剤等を用いて接着してもよい。
【００３２】
前記上面４ｂには、それぞれにねじ１０ａ、１０ｂを挿通するに長孔４ｅ、４ｆと、シャフト７を挿通する長孔４ｇとが、それぞれ両板４、５の対向方向に長くなるように延在して形成されている。なお、前記長孔４ｅ、４ｆは前記長孔４ｇよりも長く形成されている。また、前記各側面４ｃ、４ｄの下方には、板ばね６の一方をヒンジとなるボルト１１ａにより固定するための孔４ｈ、４ｉが形成されている。
【００３３】
前記取付台固定板５は、センサ固定板４のセンサ固定面４ａと対向する対向面５ａと、センサ固定板４との対向方向の前方側にそれぞれ折曲された上面５ｂと側面５ｃ、５ｄとから形成されている。
【００３４】
前記上面５ｂには、前記センサ固定板４の上面４ｂに形成された長孔４ｅ、４ｆからそれぞれ挿通されたねじ１０ａ、１０ｂと螺合するねじ孔５ｅ、５ｆと、シャフト７を挿通させる長手方向に延在した長孔５ｇとが形成されている。
【００３５】
また、前記各側面５ｃ、５ｄの下方には、板ばね６の他方をヒンジとなるボルト１１ｂにより固定するための孔５ｈ、５ｉが形成されている。
【００３６】
前記板ばね６は、図３に示すように、対向する長辺６ａ、６ｂと、これら長辺６ａ、６ｂを長手方向の一端で連結する短辺（上辺）６ｃとからなり、前記長辺６ａ、６ｂはそれぞれ外側へ拡がる弾性を有している。
【００３７】
前記長辺６ａ、６ｂは、それぞれ前方あるいは後方に折曲された側面６ｄ、６ｅ、６ｆ、６ｇを有しており、各側面６ｄ、６ｅ、６ｆ、６ｇの下方には、それぞれ前記センサ固定板４あるいは前記取付台固定板５に固定するため前記各ボルト１１ａ、１１ｂを挿通する孔６ｈ、６ｉ、６ｊ、６ｋが形成されている。また、前記上辺６ｃには、シャフト留め８を固定するねじ１０ｃ、１０ｄを挿通させる孔６ｌ、６ｍと、前記シャフト７の一端を挿通させる孔６ｎが形成されている。
【００３８】
前記シャフト留め８には、ねじ孔８ａ、８ｂと、シャフト７のねじ部７ｂと螺合するシャフトねじ孔８ｃとが形成されており、板ばね６の上辺６ｃに形成された孔６ｌ、６ｍから挿通された各ねじ１０ｃ、１０ｄとねじ孔８ａ、８ｂを螺合させてシャフト留め８を上辺６ｃの下方（図２および図３においては右方）に固定するとともに、シャフトねじ孔８ｃにシャフト７のねじ部７ｂが螺合されている。
【００３９】
そして、前記センサ固定板４および取付台固定板５間に前記板ばね６を収納し、センサ固定板４の孔４ｈ、４ｉと板ばね６の孔６ｈ、６ｉの位置を合わせボルト１１ａを挿通してナット１２ａにより固定し、取付台固定板５の孔５ｈ、５ｉと板ばね６の孔６ｊ、６ｋの位置を合わせボルト１１ｂを挿通してナット１２ｂにより固定して板ばね６を配設する。さらに、前記センサ固定板４の上面４ｂを取付台固定板５の上面５ｂの上方に重ね合わせ、上面４ｂの長孔４ｅ、４ｆからそれぞれねじ１０ａ、１０ｂを挿通して上面５ｂのねじ孔５ｅ、５ｆに螺合させて固定するとともに、上面４ｂの長孔４ｇおよび上面５ｂの長孔５ｇにシャフト７を挿通して、シャフト７のねじ部７ａに六角ナット１３および蝶ナット１４を係合して固定することによりセンサ取付台３が構成される。
【００４０】
つぎに、このように形成されている本第１実施形態のトレーニングデータ測定装置１の作用について説明する。
【００４１】
まず、トレーニングデータ測定装置１の設置作業を説明する。
【００４２】
図４に示すように、トレーニングデータ測定装置１をトレーニングマシン１５に積み重ねられて配設された複数（本実施形態においては１３個）のウェイト１６の側方近傍に立設する。具体的には、トレーニングマシン１５のフレーム１５ａに取付台固定板５のセンサ固定面５ａを両面テープをもって固定する。
【００４３】
次に、センサ取付台３のセンサ固定板４の上面４ｂの長孔４ｅ、４ｆから挿通され取付台固定板５の上面５ｂに形成されたねじ孔５ｅ、５ｆに螺合された各ねじ１０ａ、１０ｂを、ドライバ等の工具（図示せず）を使用して弛めるとともに、蝶ナット１４の締緩調節を行なう。このとき、前記蝶ナット１４を締め付けた場合、シャフト７が上に引き上げられるために、板ばね６が上方に引き上げられるとともに、コ字形状が内側に狭まり、長辺６ａ、６ｂの下端部の間隔即ちセンサ固定板４と取付台固定板５の下方の対向距離が短くなる。逆に、前記蝶ナット１４を緩めた場合、シャフト７が下に押し下げられるために、板ばね１４が下方に押し下げられるとともにコ字形状が外側に広がりセンサ固定板４と取付台固定板５の下方の対向距離が長くなる。
【００４４】
このようにして各ウェイト１６とセンサ取付台３のセンサ固定板４に固定された各近接センサ２との下方における対向距離を調節した後、前記センサ固定板４を上面４ｂに形成された長孔４ｅ、４ｆの長さの範囲でスライドさせ、各近接センサ２と各ウェイト１６との距離を均一に調整した後、各ねじ１０ａ、１０ｂの締め付けを行ない各近接センサ２の位置決めを行なうことができる。
【００４５】
このような構成からなる本第１実施形態のトレーニングデータ測定装置１によれば、センサ取付台３のセンサ固定板４に固定された各近接センサ２と各ウェイト１６との対向距離を簡単な操作によって適正値とすることができ、各近接センサ２によって各ウェイト１６の検出を確実に行なうことができ、使用ウェイトの総重量の計測およびトレーニング回数の計測を確実に行なうことができる。
【００４６】
次に、近接センサ２による計測操作を説明する。
【００４７】
前記各近接センサ２による使用ウェイトの総重量の測定方法は、まず、トレーニング開始前は各ウェイト１６が降下して積載された状態にあり、各近接センサ２は全てのウェイト１６の存在を検出している。そして、トレーニングが開始されると所定の数量のウェイト１６が上昇され、上昇された各ウェイト１６と対向していた各近接センサ２においては各ウェイト１６の存在が検出されなくなり、上昇されたウェイト１６の数量を検出することができる。そして、この検出された数量が制御装置に入力され、使用されたウェイト１６の総重量を算出することができる。
【００４８】
また、前記各近接センサ２によるトレーニング回数の計測方法は、まず、トレーニング開始前は各ウェイト１６が降下して積載された状態にあり、各近接センサ２は全てのウェイト１６の存在を検出している。そして、トレーニングが開始されると所定の数量のウェイト１６が上昇され、上昇された各ウェイト１６と対向していた各近接センサ２においては各ウェイト１６の存在が検出されなくなる。そして、制御装置において、近接センサ２が各ウェイト１６の存在を検出している状態から検出しない状態をトレーニング回数の１回とカウントさせることにより、トレーニング回数を計測することができる。逆に、制御装置において、近接センサ２が各ウェイト１６を検出しなくなった状態から再び各ウェイト１６が検出される状態をトレーニング回数の１回としてカウントさせてもよい。
【００４９】
次に、本第２実施形態のトレーニングデータ測定装置２１について説明する。
【００５０】
図５は本発明のトレーニングデータ測定装置の第２実施形態を示す。
【００５１】
本第２実施形態のトレーニングデータ測定装置２１は、図５に示すように、トレーニングマシン１５に配設された複数のウェイト１６の有無を検出するウェイト１６と同数（本第２実施形態においては１６個）の近接センサ２と、各センサ２を各ウェイト１６と対向させてねじ９によって固定するセンサ取付台２３ａと、このセンサ取付台２３ａに配設されていて各近接センサ２と各ウェイト１６との対向距離を調節する対向距離調節機構２３ｂとを有している。なお、前記各近接センサ２および前記各ねじ９は本第１実施形態と同様のセンサを使用しているため同一の符号によって示す。
【００５２】
前記センサ取付台２３ａは、前記各近接センサ２が取り付けられる鋼板からなるセンサ固定板２４と、トレーニングマシン１５の所定の配設位置に固定されるフック状の取付台固定部材３３とを有している。前記対向距離調節機構２３ｂは、取付台固定部材３３とセンサ固定板２４とを両者の距離を弾力的に可変自在に連結して各近接センサ２と各ウェイト１６との対向距離を調節する弾性部材としての上下方向に長い板ばね２６と、この板ばね２６の弾力を調整する弾力調整部材としての板ばね調節機構２５とを有している。
【００５３】
更に説明すると、前記センサ固定板２４の背面２４ｂには、上方と下方にそれぞれ板ばね調節機構２５が配設されている。各板ばね調節機構２５は、センサ固定板２４の長手方向に延在するとともに、センサ固定板２４の長手方向に直交する幅方向に平行に配設された２本の板ばね２６と、センサ固定板２４の長手方向に亘って配設されており、それぞれ各板ばね２６の一方の端部を支持する固定側となる第１の支持板２７および他方の端部を支持するスライド側となる第２の支持板２８と、前記第１の支持板２７および前記第２の支持板２８のスライド長を調整するスライドシャフト２９とから構成されている。なお、前記各板ばね調節機構２５は、センサ固定板２４の長手方向に対称に向き合うように配設され、後述する各取付台固定部材３３の孔３３ｄにそれぞれガイドシャフト３４を挿通してスライド方向が規制されている。
【００５４】
前記各板ばね２６の両端部は、それぞれ第１の支持板２７あるいは第２の支持板２８と嵌着される嵌着部２６ａ、２６ｂが形成されており、中央には、各板ばね２６をセンサ固定板２４に固定するボルト３０を挿通させる孔２６ｃが形成されている。なお、前記各嵌着部２６ａ、２６ｂのうち、第１の支持板２７と嵌着する側を嵌着部２６ａとし、第２の支持板２８と嵌着する側を嵌着部２６ｂとする。
【００５５】
前記第１の支持板２７は、センサ固定板２４の背面２４ｂと対向するとともに、センサ固定板２４の長手方向に長尺に形成された長面２７ａと、この長面２７ａと一体に形成されセンサ固定板２４側へ折曲した折曲面２７ｂとから構成されている。なお、前記長面２７ａの折曲面２７ｂ側には、他の部位よりも長手方向と直交する幅方向にそれぞれ突出して形成された突出部２７ｃが一体に形成されている。前記長面２７ａの折曲面２７ｂが形成された側と対向する側の幅方向における両端には、それぞれボルト３１を挿通させる長手方向に延在する長孔２７ｄが形成されている。各突出部２７ｃには、後述するセンサ取付台２３をトレーニングマシン１５側に固定するフック状の取付台固定部材３３を固定するボルト３２を挿通させる孔２７ｅがそれぞれ２つずつ形成されている。なお、前記ボルト３１のねじ部３１ａには、第１の支持板２７が長孔２７ｄによりスムーズにスライド可能とするためのスペーサ３８が配設されている。また、前記長面２７ａと折曲面２７ｂとの折曲部には、各板ばね２６の嵌着部２６ａとそれぞれ嵌着して固定する嵌着孔２７ｆが形成されている。さらに、前記折曲面２７ｂの中央には、前記スライドシャフト２９を挿通させる孔２７ｇが形成されている。
【００５６】
前記第２の支持板２８は、センサ固定板２４の背面２４ｂと対向するとともに、センサ固定板２４の長手方向に長尺に形成された長面２８ａと、この長面２８ａと一体に形成され、センサ固定板２４側へ折曲した折曲面２８ｂとから構成されている。前記長面２８ａの折曲部２８ｂが形成された側と対向する側の幅方向における両端には、第１の支持板２７の長孔２７ｄからそれぞれ挿通されたボルト３１を挿通する孔２８ｃが形成されている。そして、前記第２の支持板２８の各孔２８ｃから突出したボルト３１のねじ部３１ａにそれぞれナット３５を係合させて第１の支持板２７と第２の支持板２８の前後方向が支持される。また、前記長面２８ａと折曲面２８ｂとの折曲部には、各板ばね２６の嵌着部２６ｂとそれぞれ嵌着して固定する嵌着孔２８ｄが形成されている。さらに、前記折曲面２８ｂの中央には、スライドシャフト２９を挿通させる孔２８ｅが形成されている。
【００５７】
前記スライドシャフト２９の長手方向の両端にはそれぞれねじ部２９ａ、２９ｂが形成されており、本実施形態においてはねじ部２９ａ側を第１の支持板２７の孔２７ｇへ挿通し、ねじ部２９ｂ側を第２の支持板２８の孔２８ｅへ挿通する。また、前記ねじ部２９ａは、第１の支持板２７の長孔２７ｄの長手方向の長さと同等の長さに形成されている。そして、前記スライドシャフト２９のねじ部２９ａには、第１の支持板２７と第２の支持板２８の対向幅を調節する対向幅調節用ナット３９が係合されるとともに、ねじ部２９ｂの端部にはそれぞれＰＯＰナット４０が係合され、第１の支持板２７と第２の支持板２８の長手方向の対向幅を規制している。
【００５８】
前記各取付台固定部材３３は、第１の支持板２７の各突出部２７ｃとそれぞれ対向するとともに、各突出部２７ｃの孔２７ｅへそれぞれボルト３２を挿通させる２つの孔３３ｂが形成された固定面３３ａと、前記センサ固定板２４側に折曲し中央に前記固定ボルト３４を挿通させる孔３３ｄが形成された折曲面３３ｃと、固定面３３ａの折曲面３３ｃと反対位置から前記センサ固定板２４と反対側に折曲し中央に固定ボルト３６を螺合させるねじ孔３３ｆが形成された折曲面３３ｅと、折曲面３３ｅからフック状となるように折曲された折曲面３３ｇとが一体に形成されている。そして、前記各孔３３ｂから第１の支持板２７の各孔２７ｅへそれぞれボルト３２を挿通させ、各ボルト３２をそれぞれナット３２によって締結することにより第１の支持板２７に固定されている。前記各固定ボルト３４は、一端部（図５の下端部）にねじ部３４ａが形成されており、対向する各板ばね調節機構２５にそれぞれ固定された各取付台固定部材３３の対向する各孔３３ｄに上から１本ずつ挿通され、上下の取付台固定部材３３を一体化させ、下端部のねじ部３４ａを下方の取付台固定部材３３に固定されるＰＯＰナット３７に螺合させて、上下の取付台固定部材３３をトレーニングマシン１５に装着させる。
【００５９】
次に、前述した構成からなる本第２実施形態のトレーニングデータ測定装置２１の作用について説明する。
【００６０】
本第２実施形態のトレーニングデータ測定装置２１をトレーニングマシン１５に取り付けるには、トレーニングマシン１５の図示しないフレームの上下部分に、上下合計４個の取付台固定部材３３の固定面３３ａ、折曲面３３ｅおよび３３ｇからなるフック部分を引っかけ、固定ボルト３６をねじ孔３３ｆに螺合させて固定し、更に固定ボルト３４を締め付けることによって、上下の取付台固定部材３３を相互に近接させることにより、強固に取付台固定部材３３をトレーニングマシン１５に取り付ける。これによりボルト３２およびナット３５を介して各取付台固定部材３３に固着されている第１の支持板２７もトレーニングマシン１５に固着される。
【００６１】
そして、スライドシャフト２９の一方のねじ部２９ａに係合された対向幅調節用ナット３９の締緩調節を行なう。このとき、前記対向幅調節用ナット３９を締め付けた場合には、各板ばね調節機構２５をそれぞれ構成している第１の支持板２７と第２の支持板２８の対向距離を狭くするように第２の支持板２８がスライドし、前記第１の支持板２７と前記第２の支持板２８にそれぞれ挟持された各板ばね２６がセンサ固定板２４方向に円弧状に突出するように撓み、センサ固定板２４に固定された各近接センサ２と前記各ウェイト１６との距離が短くなる。逆に、前記対向幅調節用ナット３９を緩めた場合には、前記第１の支持板２７と前記第２の支持板２８の対向距離が拡がるように第２の支持板２８がスライドし、前記第１の支持板２７と前記第２の支持板２８にそれぞれ挟持された前記各板ばね２６が引き延ばされ、前記センサ固定板２４に固定された前記各近接センサ２と前記各ウェイト１６との距離が長くなるようになっている。
【００６２】
このような構成からなる本第２実施形態のトレーニングデータ測定装置２１においても、センサ取付台２３のセンサ固定板２４に固定された各近接センサ２と各ウェイト１６との距離を適正値とすることができ、各近接センサ２によって各ウェイト１６の検出を確実に行なうことができ、使用ウェイトの総重量の計測およびトレーニング回数の計測を確実に行なうことができる。
【００６３】
次に、本第３実施形態のトレーニングデータ測定装置４１について説明する。
【００６４】
本第３実施形態のトレーニングデータ測定装置４１は、図６に示すように、トレーニングマシン１５に配設された複数のサブウェイト１６ａ（図１参照）の有無を検出するサブウェイト１６ａと同数（本第２実施形態においては２個）の近接センサ２と、各センサ２を各サブウェイト１６ａと対向させてねじ９によって固定するセンサ取付台４３ａと、このセンサ取付台４３ａに配設されていて各近接センサ２と各サブウェイト１６ａとの対向距離を調節する対向距離調節機構４３ｂとを有している。なお、前記各近接センサ２および前記各ねじ９は本第１実施形態と同様のセンサを使用しているため同一の符号によって示す。
【００６５】
前記センサ取付台４３ａは、前記各近接センサ２が取り付けられる鋼板からなるセンサ固定板４４と、トレーニングマシン１５の所定の配設位置に固定されるフック状の取付台固定部材５３とを有している。前記対向距離調節機構４３ｂは、取付台固定部材５３とセンサ固定板４４とを両者の距離を可変自在とするカム機構５０を有している。
【００６６】
更に説明すると、前記センサ固定板４４は、サブウェイト１６ａと対向するようにして各近接センサ２をそれぞれねじ９で固定するセンサ固定面４４ａと、サブウェイト１６ａとの対向方向の後方側に折曲された上面４４ｂと、サブウェイト１６ａとの対向方向側に折曲された側面４４ｃ、４４ｄとから形成されている。
前記上面４４ｂには、４５を挿通する長孔４４ｅ上面４４ｂの長手方向に長くなるように延在して形成されている。
【００６７】
前記取付台固定部材５３は、第２実施形態の取付台固定部材３３の固定面３３ａ、折曲面３３ｅおよび３３ｇの部分からなるフック形状と同様に、固定面５３ａ、折曲面５３ｂおよび５３ｃの部分をもって形成されている。曲折面５３ｂにはセンサ固定板４４の長孔４４ｅを通して固定ボルト４５を螺合させるねじ孔５３ｄが設けられている。また、取付台固定部材５３は固定面５３ａの裏側に接着固定した永久磁石５４をもって、トレーニングマシン１５側のフレームに装着されるようになっている。
【００６８】
この取付台固定部材５３の上には断面Ｌ字形のトップ部材５５が、その上面５５ａに開設した孔５５ｂを通して止めねじ５６をもって折曲面５３ｂのねじ孔５３ｅに螺合して固定されるようになっている。トップ部材５５の上面５５ａには、前記固定ボルト４５を貫通させる切り欠き５５ｃが形成されているとともに、対向距離調節機構４３ｂを構成するカム機構５０を形成する２本のカム駆動シャフト４６が貫通する孔５５ｄが開設されている。
【００６９】
２本のカム駆動シャフト４６の下端部にはそれぞれＰＯＰナット４７をもってスライダ４８が上下動自在に装着されている。このスライダ４８には傾斜面４９ａを有する第１カム４９が止めねじ５１をもって固着されている。第１カム４９には、傾斜面４９ａと後面とにそれぞれ永久磁石４９ｂが接着固定されている。センサ固定板４４の固定面４４ａの下端部には第１カム４９と係合してカム動作を行う傾斜面５２ａを有する第２カム５２が止めねじ５１をもって固着されている。
【００７０】
次に、前述した構成からなる本第３実施形態のトレーニングデータ測定装置４１の作用について説明する。
【００７１】
本第３実施形態のトレーニングデータ測定装置４１をトレーニングマシン１５に取り付けるには、トレーニングマシン１５の図示しないフレームの上部分に、取付台固定部材５３の固定面５３ａ、折曲面５３ｂおよび５３ｃからなるフック部分を引っかけ、永久磁石５４をフレームの磁着させて固定する。
【００７２】
次に、センサ取付台４３ａのセンサ固定板４４の上面４４ｂの長孔４４ｅから挿通され取付台固定板５３の折曲５３ｂに形成されたねじ孔５ｄに螺合された固定ボルト４５を、ドライバ等の工具（図示せず）を使用して弛める。その後、２本のカム駆動シャフト４６による締緩調節を行なって、第１カム４９を上下動させる。このとき、第１カム４９を上昇させると、傾斜面４９ａに固着された永久磁石４９ｂと第２カム５２の傾斜面５２ａとの摺動動作によりセンサ固定板４４の固定面４４ａの下端部がサブウエイト１６ａに近づく方向に移動し、第１カム４９を下降させるとセンサ固定板４４の固定面４４ａの下端部がサブウエイト１６ａに離れる方向に移動する。
【００７３】
このようにして各サブウェイト１６ａとセンサ取付台４３ａのセンサ固定板４４に固定された各近接センサ２との下方における対向距離を調節した後、前記センサ固定板４４を上面４４ｂに形成された長孔４４ｅの長さの範囲でスライドさせ、各近接センサ２と各サブウェイト１６ａとの距離を均一に調整した後、固定ボルト４５の締め付けを行ない各近接センサ２の位置決めを行なうことができる。
【００７４】
このような構成からなる本第３実施形態のトレーニングデータ測定装置４１においても、センサ取付台４３ａのセンサ固定板４４に固定された各近接センサ２と各サブウェイト１６ａとの距離を適正値とすることができ、各近接センサ２によって各サブウェイト１６ａの検出を確実に行なうことができ、使用ウェイトの総重量の計測およびトレーニング回数の計測を確実に行なうことができる。
【００７５】
なお、本発明は、前述した実施の形態に限定されるものではなく、必要に応じて種々の変更が可能である。前記各実施形態において、取付台固定板（部材）のトレーニングマシン側への取付け方法として３種類例示したが、この組み合わせはトレーニングマシンの構成との組み合わせにおいて、適宜に選択すると良く、更に他の公知の取付け方法を採用しても良い。
【図面の簡単な説明】
【００７６】
【図１】本発明のトレーニングデータ測定装置の第１実施形態を示す斜視図
【図２】図１の拡大分解図
【図３】図２の板ばねの拡大図
【図４】本発明のトレーニングデータ測定装置の第１実施形態の使用例を示す説明図
【図５】本発明のトレーニングデータ測定装置の第２実施形態を示す分解図
【図６】本発明のトレーニングデータ測定装置の第３実施形態を示す分解図
【符号の説明】
【００７７】
１  トレーニングデータ測定装置
２  近接センサ
３ａ、２３ａ、４３ａ  センサ取付台
３ｂ、２３ｂ、４３ｂ  対向距離調節機構
４、２４、４４  センサ固定板
５、３３、５３  取付台固定板
６、２６  板ばね
７  シャフト
２５  板ばね調節機構
２９  スライドシャフト
４９  第１カム
５０  カム機構
５１  第２カム
【図１】
2005198770.tif 000003
【図２】
2005198770.tif 000004
【図３】
2005198770.tif 000005
【図４】
2005198770.tif 000006
【図５】
2005198770.tif 000007
【図６】
2005198770.tif 000008